(57)【要約】【課題】  電子機器をクレードルに装着して所定の機能を利用する際の作業性を向上させる接続システムと、電子機器及び接続台、データ処理装置、動作モード設定方法を提供する。【解決手段】  接続コネクタ５，１５を介して電気的に接続されるクレードル１とデジタルカメラ１０とからなる接続システムである。デジタルカメラ１０を、液晶表示部１３が正面に位置する図の向きとした状態と、撮影レンズが正面に位置する図と逆向きとした状態のいずれでもクレードル１に装着でき、かつデジタルカメラ１０が装着時点の向きを電気的に確認可能な構成とする。デジタルカメラ１０に、クレードル１に装着された時点の向きを確認させ、それが図の向きであれば記録画像転送モードでの動作を開始させ、図と逆向きであればＰＣカメラモードでの動作を開始させる。デジタルカメラ１０の向きを選択的に変えるだけで、所望とする動作モードでの使用が可能となる。【選択図】      図１
2006136012.tif 000002
【特許請求の範囲】
【請求項１】
装着状態で互いに電気的に接続される接続台と携帯型の電子機器とからなる接続システムにおいて、
前記接続台は、前記電子機器を、その電子機器の所定部位が異なる方向を向いた複数の状態で支持可能な本体を備え、
前記電子機器は、前記接続台との装着状態における前記本体に対する前記所定部位の向きを確認する確認手段と、
この確認手段により確認された向きに対応する動作モードを設定する設定手段とを備えたことを特徴とする接続システム。
【請求項２】
接続台に装着され、その接続台と電気的に接続される携帯型の電子機器において、
前記接続台が有する接続端子と対をなすとともに、前記接続台に対する向きが異なる複数形態での前記接続端子との接続を許容された接続端子と、
前記接続台との装着状態における前記接続台に対する向きを確認する確認手段と、
この確認手段により確認された向きに対応する動作モードを設定する設定手段と
を備えたことを特徴とする電子機器。
【請求項３】
接続台に装着され、その接続台と電気的に接続される携帯型の電子機器において、
装着状態で自己が保持される、前記接続台に向きの変更が可能に設けられている可動保持部の向きを確認する確認手段と、
この確認手段により確認された前記可動保持部の向きに対応する動作モードを設定する設定手段と
を備えたことを特徴とする電子機器。
【請求項４】
接続台に装着され、その接続台と電気的に接続される携帯型の電子機器において、
向きの変更が可能な可動部と、
前記接続台との装着状態における前記可動部の向きを確認する確認手段と、
この確認手段により確認された向きに対応する動作モードを設定する設定手段と
を備えたことを特徴とする電子機器。
【請求項５】
携帯型の電子機器が装着されるとともに、前記電子機器が有するコネクタと結合される受け側コネクタを有し、その受け側コネクタを介して、装着された前記電子機器と電気的な接続状態を確保される接続台において、
前記電子機器を、その電子機器の所定部位が互いに逆方向を向いた異なる状態でそれぞれ支持可能な本体と、
この本体に、前記電子機器の装着時の状態によって異なる前記電子機器が有するコネクタの相対位置にそれぞれ対応し互いに離間して設けられるとともに、前記電子機器が有するコネクタと接続される一方側が、前記電子機器が有するコネクタと結合する結合位置に移動したとき、前記電子機器が有するコネクタと接続されない他方側が、前記電子機器の前記本体への装着を阻害しない非結合位置に移動する二つの前記受け側コネクタとを備え、
前記本体に装着された前記電子機器が前記二つの受け側コネクタのいずれが自己が有するコネクタと結合しているかを確認可能な構成を有としたことを特徴とする接続台。
【請求項６】
前記本体への前記電子機器の装着に際し、前記二つの受け側コネクタのうち、前記電子機器が有するコネクタと接続されない一方側が前記電子機器と干渉して前記非結合に移動するときの力によって、前記電子機器が有するコネクタと接続される他方側を前記結合位置に移動させる移動機構を備えたことを特徴とする請求項５記載の接続台。
【請求項７】
接続台に装着され、その接続台と電気的に接続される携帯型の電子機器における、前記接続台と装着したときの動作モードの設定方法であって、
前記接続台の本体に対する所定部位の向きを確認する工程と、
確認された前記所定部位の向きに対応する動作モードを設定する工程と
からなることを特徴とする動作モード設定方法。
【請求項８】
接続台に装着され、その接続台と電気的に接続される携帯型の電子機器が有するコンピュータを、
電子機器が前記接続台に装着された状態における前記接続台の本体に対する所定部位の向きを確認する確認手段と、
この確認手段により確認された前記所定部位の向きに対応する動作モードを設定する設定手段と
して機能させるためのプログラム。
【請求項９】
携帯型の電子機器が着脱自在であるとともに装着状態の前記電子機器が電気的に接続される接続台と、この接続台を介して前記電子機器との間でデータ通信を行うデータ処理装置とからなる接続システムにおいて、
前記接続台は、前記電子機器を、その電子機器の所定部位が異なる方向を向いた複数の状態で支持可能な本体を備え、
前記データ処理装置は、前記接続台に装着された電子機器における前記本体に対する前記所定部位の向きを確認する確認手段と、
この確認手段により確認された向きに対応する、前記電子機器との間でデータ通信を行う動作モードを設定する設定手段とを備えたことを特徴とする接続システム。
【請求項１０】
携帯型の電子機器が着脱自在であるとともに装着状態の前記電子機器が電気的に接続される接続台を介して前記電子機器との間でデータ通信を行うデータ処理装置であって、
前記接続台に装着された電子機器における前記本体に対する前記所定部位の向きを確認する確認手段と、
この確認手段により確認された向きに対応する、前記電子機器との間でデータ通信を行う動作モードを設定する設定手段とを備えたことを特徴とするデータ処理装置。
【請求項１１】
前記確認手段により確認された向きに対応するデータ通信を実施する自己の動作モードに対応する動作を前記電子機器に対して要求する動作要求手段を備えたことを特徴とする請求項８記載のデータ処理装置。
【請求項１２】
携帯型の電子機器が着脱自在であるとともに装着状態の前記電子機器が電気的に接続される接続台を介して前記電子機器との間でデータ通信を行うデータ処理装置における、前記電子機器との間でデータ通信を行う動作モードの設定方法であって、
前記接続台に装着された電子機器における前記本体に対する前記所定部位の向きを確認する工程と、
確認された向きに対応する、前記電子機器との間でデータ通信を行う動作モードを設定する工程と
からなることを特徴とする動作モード設定方法。
【請求項１３】
携帯型の電子機器が着脱自在であるとともに装着状態の前記電子機器が電気的に接続される接続台を介して前記電子機器との間でデータ通信を行うデータ処理装置が有するコンピュータを、
前記接続台に装着された電子機器における前記本体に対する前記所定部位の向きを確認する確認手段と、
この確認手段により確認された向きに対応する、前記電子機器との間でデータ通信を行う動作モードを設定する設定手段と
して機能させるためのプログラム。
【発明の詳細な説明】
【技術分野】
【０００１】
本発明は、接続台と、それに着脱自在な携帯型の電子機器とからなる接続システムと電子機器、及び接続台と、それを介して携帯型の電子機器とデータ通信を行うデータ処理装置とからなる接続システムと、データ処理装置、及び動作モード設定方法に関する。
【背景技術】
【０００２】
従来、携帯情報端末（ＰＤＡ：Personal Digital Assistant）や電子手帳、デジタルカメラ等の携帯型の電子機器においては、内蔵電池の充電や、外部のパーソナルコンピュータ（ＰＣ）等の外部機器との間でデータ通信を行うための装置としてクレードル（cradle）と呼ばれる接続台が使用されている。一般に、クレードルは、電子機器を固定して保持する本体の所定箇所に、電子機器側に設けられているものと対をなす接続コネクタが設けられた構成を有しており、それに電子機器を装着（載置）することにより電子機器への充電が可能となっている。また、電子機器と外部装置（ＰＣ等）との間のデータ通信に使用されるクレードルにあっては、前記接続コネクタとは別に、ＵＳＢ（Universal Serial Bus）やＲＳ−２３２Ｃ等によりＰＣ等とケーブル接続するための接続コネクタが本体に設けられている。
【０００３】
そして、前述したようなクレードルと電子機器とからなる接続システムとしては、例えばＰＣ等との間でデータ通信を行うための動作モードとして複数種の通信モードが用意されたデジタルカメラにおいて、それがクレードルに装着（載置）された状態で電源スイッチがオンされると、予めセットアップされている所定の通信モードが自動的に立ち上がり、その通信モードでの動作を開始するものが知られている（例えば、特許文献１参照。）。
【特許文献１】特開２００２−２１８３００号公報（第８頁、図９）
【発明の開示】
【発明が解決しようとする課題】
【０００４】
しかしながら、前述したようなデジタルカメラとクレードルとからなる接続システムにおいては、ユーザーがデジタルカメラの通信機能を使用する場合には、それをクレードルに装着する以前に、使用する通信モードをカメラ側において設定しておく必要がある。しかも、一般に、デジタルカメラにおいては、ユーザーにより設定可能なパラメータや動作等の設定項目の種類が多岐に渡っており、前述した所望の通信モードの設定に際しては、まず設定項目として通信モードを選択した後、さらに複数用意されている通信モードから所望するモードを選択するという作業が要求されている。
【０００５】
このため、前述したように、クレードルに装着した状態で電源スイッチをオンするだけで通信モードを自動的を立ち上げることができたとしても、所望の通信機能を使用する場合には、その準備操作が依然として煩雑であるという問題があった。
【０００６】
本発明は、かかる従来の課題に鑑みてなされたものであり、電子機器を接続台に装着して所定の機能を利用する際の作業性を向上させる接続システム、電子機器、動作モード設定方法と、接続台を介して電子機器が生成したデータを利用する際の作業性を向上させる接続システムと、電子機器及び接続台、データ処理装置、動作モード設定方法を提供することを目的とする。
【課題を解決するための手段】
【０００７】
前記課題を解決するために請求項１の発明にあっては、装着状態で互いに電気的に接続される接続台と携帯型の電子機器とからなる接続システムにおいて、前記接続台は、前記電子機器を、その電子機器の所定部位が異なる方向を向いた複数の状態で支持可能な本体を備え、前記電子機器は、前記接続台との装着状態における前記本体に対する前記所定部位の向きを確認する確認手段と、この確認手段により確認された向きに対応する動作モードを設定する設定手段とを備えたものとした。
【０００８】
かかる構成においては、電子機器を接続台に装着したとき、電子機器では、その確認手段によって所定部位の向きが確認され、確認された向きに応じた動作モードが設定手段によって設定される。したがって、電子機器を接続台へ装着する際、その所定部位の向きを選択的に変えることにより、電子機器に異なる動作モードを設定することができる。
【０００９】
また、請求項２の発明にあっては、接続台に装着され、その接続台と電気的に接続される携帯型の電子機器において、前記接続台が有する接続端子と対をなすとともに、前記接続台に対する向きが異なる複数形態での前記接続端子との接続を許容された接続端子と、前記接続台との装着状態における前記接続台に対する向きを確認する確認手段と、この確認手段により確認された向きに対応する動作モードを設定する設定手段とを備えたものとした。
【００１０】
かかる構成においては、それを接続台に装着したとき、確認手段によって所定部位の向きが確認され、確認された向きに応じた動作モードが設定手段によって設定される。したがって、接続台へ装着する際、接続台に対する向きを選択的に変えることにより、電子機器に異なる動作モードを設定することができる。
【００１１】
また、請求項３の発明にあっては、接続台に装着され、その接続台と電気的に接続される携帯型の電子機器において、装着状態で自己が保持される、前記接続台に向きの変更が可能に設けられている可動保持部の向きを確認する確認手段と、この確認手段により確認された前記可動保持部の向きに対応する動作モードを設定する設定手段とを備えたものとした。
【００１２】
かかる構成においては、それを接続台に装着したとき、確認手段によって接続台における可動保持部の向きが確認され、確認された向きに応じた動作モードが設定手段によって設定される。したがって、接続台へ装着する際、接続台における可動保持部の向きを選択的に変えることにより、電子機器に異なる動作モードを設定することができる。
【００１３】
また、請求項４の発明にあっては、接続台に装着され、その接続台と電気的に接続される携帯型の電子機器において、向きの変更が可能な可動部と、前記接続台との装着状態における前記可動部の向きを確認する確認手段と、この確認手段により確認された向きに対応する動作モードを設定する設定手段とを備えたものとした。
【００１４】
かかる構成においては、それを接続台に装着したとき、確認手段によって可動部の向きが確認され、確認された向きに応じた動作モードが設定手段によって設定される。したがって、接続台へ装着する際、可動部の向きを選択的に変えることにより、電子機器に異なる動作モードを設定することができる。
【００１５】
また、請求項５の発明にあっては、携帯型の電子機器が装着されるとともに、前記電子機器が有するコネクタと結合される受け側コネクタを有し、その受け側コネクタを介して、装着された前記電子機器と電気的な接続状態を確保される接続台において、前記電子機器を、その電子機器の所定部位が互いに逆方向を向いた異なる状態でそれぞれ支持可能な本体と、この本体に、前記電子機器の装着時の状態によって異なる前記電子機器が有するコネクタの相対位置にそれぞれ対応し互いに離間して設けられるとともに、前記電子機器が有するコネクタと接続される一方側が、前記電子機器が有するコネクタと結合する結合位置に移動したとき、前記電子機器が有するコネクタと接続されない他方側が、前記電子機器の前記本体への装着を阻害しない非結合位置に移動する二つの前記受け側コネクタとを備え、前記本体に装着された前記電子機器が前記二つの受け側コネクタのいずれが自己が有するコネクタと結合しているかを確認可能な構成を有としたものとした。
【００１６】
かかる構成においては、電子機器が、所定部位が互いに逆方向を向いた異なる状態のいずれの状態によって装着された場合であっても、電子機器との間において電気的な接続状態を確保することができ、しかもその状態を電子機器に知らせることができる。
【００１７】
また、請求項６の発明にあっては、前記本体への前記電子機器の装着に際し、前記二つの受け側コネクタのうち、前記電子機器が有するコネクタと接続されない一方側が前記電子機器と干渉して前記非結合に移動するときの力によって、前記電子機器が有するコネクタと接続される他方側を前記結合位置に移動させる移動機構を備えたものとした。
【００１８】
かかる構成においては、電子機器を装着させるだけで、電子機器との間に電気的な接続状態を確保することができる。
【００１９】
また、請求項７の発明にあっては、接続台に装着され、その接続台と電気的に接続される携帯型の電子機器における、前記接続台と装着したときの動作モードの設定方法であって、前記接続台の本体に対する所定部位の向きを確認する工程と、確認された前記所定部位の向きに対応する動作モードを設定する工程とからなる方法とした。
【００２０】
かかる方法においては、電子機器を接続台に装着したとき、電子機器には、その所定部位の向きに応じた動作モードが設定される。したがって、電子機器を接続台へ装着する際、その所定部位の向きを選択的に変えることにより、電子機器に異なる動作モードを設定することができる。
【００２１】
また、請求項８の発明にあっては、接続台に装着され、その接続台と電気的に接続される携帯型の電子機器が有するコンピュータを、電子機器が前記接続台に装着された状態における前記接続台の本体に対する所定部位の向きを確認する確認手段と、この確認手段により確認された前記所定部位の向きに対応する動作モードを設定する設定手段として機能させるためのプログラムとした。
【００２２】
また、請求項９の発明にあっては、携帯型の電子機器が着脱自在であるとともに装着状態の前記電子機器が電気的に接続される接続台と、この接続台を介して前記電子機器との間でデータ通信を行うデータ処理装置とからなる接続システムにおいて、前記接続台は、前記電子機器を、その電子機器の所定部位が異なる方向を向いた複数の状態で支持可能な本体を備え、前記データ処理装置は、前記接続台に装着された電子機器における前記本体に対する前記所定部位の向きを確認する確認手段と、この確認手段により確認された向きに対応する、前記電子機器との間でデータ通信を行う動作モードを設定する設定手段とを備えたものとした。
【００２３】
かかる構成においては、接続台に電子機器が装着されたとき、データ処理装置では、その確認手段によって電子機器の所定部位の向きが確認され、確認された向きに対応する、電子機器との間でデータ通信を行う動作モードが設定手段によって設定される。したがって、電子機器を接続台へ装着する際、その所定部位の向きを選択的に変えることにより、データ処理装置に、電子機器と内容が異なるデータ通信動作を行うことができる。
【００２４】
また、請求項１０の発明にあっては、携帯型の電子機器が着脱自在であるとともに装着状態の前記電子機器が電気的に接続される接続台を介して前記電子機器との間でデータ通信を行うデータ処理装置であって、前記接続台に装着された電子機器における前記本体に対する前記所定部位の向きを確認する確認手段と、この確認手段により確認された向きに対応する、前記電子機器との間でデータ通信を行う動作モードを設定する設定手段とを備えたものとした。
【００２５】
かかる構成においては、接続台に電子機器が装着されたとき、データ処理装置では、その確認手段によって電子機器の所定部位の向きが確認され、確認された向きに対応する、電子機器との間でデータ通信を行う動作モードが設定手段によって設定される。したがって、電子機器を接続台へ装着する際、その所定部位の向きを選択的に変えることにより、データ処理装置に、電子機器と内容が異なるデータ通信動作を行うことができる。
【００２６】
また、請求項１１の発明にあっては、前記確認手段により確認された向きに対応するデータ通信を実施する自己の動作モードに対応する動作を前記電子機器に対して要求する動作要求手段を備えたものとした。
【００２７】
かかる構成においては、接続台に電子機器が装着されたときには、動作要求手段が、自己の動作モードに対応する動作を電子機器に対して要求することにより、電子機器に自己の動作モードに対応する所定の動作を自動的に行わせることが可能となる。
【００２８】
また、請求項１２の発明にあっては、携帯型の電子機器が着脱自在であるとともに装着状態の前記電子機器が電気的に接続される接続台を介して前記電子機器との間でデータ通信を行うデータ処理装置における、前記電子機器との間でデータ通信を行う動作モードの設定方法であって、前記接続台に装着された電子機器における前記本体に対する前記所定部位の向きを確認する工程と、確認された向きに対応する、前記電子機器との間でデータ通信を行う動作モードを設定する工程とからなる方法とした。
【００２９】
かかる方法によれば、接続台に電子機器が装着されたとき、データ処理装置には、電子機器の所定部位の向きに対応する、電子機器との間でデータ通信を行う動作モードが設定される。したがって、電子機器を接続台へ装着する際、その所定部位の向きを選択的に変えることにより、データ処理装置に、電子機器と内容が異なるデータ通信動作を行うことができる。
【００３０】
また、請求項１３の発明にあっては、携帯型の電子機器が着脱自在であるとともに装着状態の前記電子機器が電気的に接続される接続台を介して前記電子機器との間でデータ通信を行うデータ処理装置が有するコンピュータを、前記接続台に装着された電子機器における前記本体に対する前記所定部位の向きを確認する確認手段と、この確認手段により確認された向きに対応する、前記電子機器との間でデータ通信を行う動作モードを設定する設定手段として機能させるためのプログラムとした。
【発明の効果】
【００３１】
以上説明したように請求項１及び請求項７の発明においては、電子機器を接続台へ装着する際、その所定部位の向きを選択的に変えることにより、電子機器に異なる動作モードを設定することができるようにした。よって、電子機器を接続台に装着して所定の機能を利用する際の作業性を向上させることが可能となる。
【００３２】
また、請求項２の発明においては、電子機器を接続台へ装着する際、接続台に対する向きを選択的に変えることにより、それに異なる動作モードを設定することができるようにした。よって、電子機器を接続台に装着して所定の機能を利用する際の作業性を向上させることが可能となる。さらに、電子機器の向きと、それに対応する（割り当てる）動作モードの内容を適宜設定することにより、接続台を使用するときの電子機器の使い勝手を向上させることができる。
【００３３】
また、請求項３の発明においては、電子機器を接続台へ装着する際、接続台における可動保持部の向きを選択的に変えることにより、それに異なる動作モードを設定することができるようにした。よって、電子機器を接続台に装着して所定の機能を利用する際の作業性を向上させることが可能となる。さらに、可動部の向きと、それに対応する（割り当てる）動作モードの内容を適宜設定することにより、接続台を使用するときの電子機器の使い勝手を向上させることができる。しかも、より多くの動作モードにも容易に対応可能となる。
【００３４】
また、請求項４の発明においては、電子機器を接続台へ装着する際、可動部の向きを選択的に変えることにより、それに異なる動作モードを設定することができるようにした。よって、電子機器を接続台に装着して所定の機能を利用する際の作業性を向上させることが可能となる。さらに、可動部の向きと、それに対応する（割り当てる）動作モードの内容を適宜設定することにより、接続台を使用するときの電子機器の使い勝手を向上させることができる。しかも、より多くの動作モードにも容易に対応可能となる。
【００３５】
また、請求項５の発明においては、電子機器が、所定部位が互いに逆方向を向いた異なる状態のいずれの状態によって装着された場合であっても、電子機器との間において電気的な接続状態を確保することができ、しかもその状態を電子機器に知らせることができるようにした。よって、係る発明の接続台を用いることにより、請求項１及び請求項７の発明が実施可能となる。
【００３６】
また、請求項６の発明においては、電子機器を装着させるだけで、電子機器との間に電気的な接続状態を確保することができるようにした。よって、接続台の使い勝手が向上する。
【００３７】
また、請求項９，１０，１２の発明においては、電子機器を接続台へ装着する際、その所定部位の向きを選択的に変えることにより、データ処理装置に、電子機器と内容が異なるデータ通信動作を行うことができるようにした。よって、接続台を介して電子機器が生成したデータを利用する際の作業性を向上させることが可能となる。
【００３８】
また、請求項１１の発明においては、電子機器に自己の動作モードに対応する所定の動作を自動的に行わせることが可能となるようにした。よって、接続台を介して電子機器が生成したデータを利用する際の作業性を一層向上させることが可能となる。
【発明を実施するための最良の形態】
【００３９】
以下、本発明の一実施の形態を図にしたがって説明する。
（第１の実施の形態）
図１は、本発明に係る接続システムを示す外観斜視図である。この接続システムは接続台であるクレードル１と、クレードル１に着脱自在であるとともに、装着状態でクレードル１を介してパーソナルコンピュータ（ＰＣ）に接続されることによりＰＣとの間のデータ通信が可能なデジタルカメラ１０とから構成されている。
【００４０】
クレードル１は、本体２の上部に、上方より装着されたデジタルカメラ１０を垂直よりも背面側へ若干寝かせた状態で保持する保持部３が設けられた構造を有している。本体２の背面側には、第１の接続コネクタ４が設けられ、前記保持部３の内側に位置する本体２の上面部分には第２の接続コネクタ５が突出した状態で設けられている。第１の接続コネクタ４には、一端側が図外のＰＣに接続されている通信ケーブル５０の他端が接続されている。第１の接続コネクタ４と第２の接続コネクタ５とは、本体２の内部において互いに対応する端子同士を結線されている。
【００４１】
デジタルカメラ１０は、本体１１の正面に撮影レンズ１２が、かつ背面に液晶表示器１３が設けられ、上面にシャッター釦１４が設けられた構造を有している。また本体１１の底面にはクレードル１の第２の接続コネクタ５に対応する接続コネクタ１５が設けられている。なお、以下の説明においては、上記第２の接続コネクタ５をクレードル側コネクタ、上記接続コネクタ１５をカメラ側コネクタという。
【００４２】
クレードル側コネクタ５とカメラ側コネクタ１５は、デジタルカメラ１０をクレードル１に着脱する際、互いに挿抜されるものであり、本実施の形態においてはクレードル側コネクタ５がオス、カメラ側コネクタ１５がメスである。また、両コネクタ５，１５は、デジタルカメラ１０を、液晶表示器１３がクレードル１（本体２）の正面側に位置する図１に示した第１の向き、又は撮影レンズ１２がクレードル１（本体２）の正面側に位置する第２の向き（図示せず）のどちらに向けても、デジタルカメラ１０とクレードル１とを装着可能とする構造を有している。
【００４３】
すなわち、クレードル側コネクタ５がクレードル１の保持部３の中央部に配置され、かつカメラ側コネクタ１５がデジタルカメラ１０の本体１１の底面中央部に配置されている。さらにクレードル側コネクタ５には、本体２の正面側と背面側とに位置して、各々が複数の接続端子からなる端子列５ａ，５ｂが互いに平行して設けられている。双方の端子列５ａ，５ｂの一方側と他方側とは各接続端子の配置順が逆順であるとともに、双方が、それらと対応する前記第１の接続コネクタ４が有する複数の接続端子とそれぞれ結線されている。他方、カメラ側コネクタ１５には、上記双方の端子列５ａ，５ｂのいずれか一方側のみに接続される複数の接続端子（図示せず）が設けられている。
【００４４】
これにより、クレードル側コネクタ５とカメラ側コネクタ１５とは、デジタルカメラ１０が前述した第１又は第２のいずれの向きで装着されたときであっても、電気的に接続されるようになっている。さらに、クレードル側コネクタ５と、カメラ側コネクタ１５には、データ通信用とは別に、カメラ側コネクタ１５の端子群がクレードル側コネクタ５のどちら側の端子列５ａ，５ｂと接続されているのかを電気的に検出するための検出用端子が設けられている。
【００４５】
図２は、前述したデジタルカメラ１０及びクレードル１の電気的な概略構成を示すブロック図である。デジタルカメラ１０は、デジタルカメラ１０は、固体撮像素子であるＣＣＤ２１とＣＰＵ２２とを有している。ＣＣＤ２１は、図示しないフォーカスレンズ及びズームレンズを介して結像された被写体の光学像を光電変換し、被写体の光学像に応じたアナログの撮像信号を出力する。ＣＰＵ２２は、ＪＰＥＧ方式による画像データの圧縮・伸張を含む各種デジタル信号処理機能を有するとともにデジタルカメラ１０の各部を制御する。
【００４６】
ＣＰＵ２２には、ＣＣＤ２１を駆動するＴＧ（Timing Generator）２３が接続されており、ＴＧ２３には、ＣＣＤ２１から出力される撮像信号が入力するユニット回路２４が接続されている。ユニット回路２４は、を相関二重サンプリングして保持するＣＤＳ回路、その撮像信号を増幅するゲイン調整アンプ（ＡＧＣ）、増幅後の撮像信号をデジタル信号に変換するＡ／Ｄ変換器（ＡＤ）から構成されており、ＣＣＤ２１の出力信号はユニット回路２４を経てデジタル信号としてＣＰＵ２２に送られる。
【００４７】
また、ＣＰＵ２２には、表示装置２５、キー入力部２６、ＲＯＭ２７、ＤＲＡＭ２８、内蔵画像メモリ２９、入出力インターフェイス３０が接続されている。ＤＲＡＭ２８は、ＣＣＤ２１により撮像されデジタル化された画像データを一時記憶するバッファであるとともに、ＣＰＵ２２のワーキングメモリとして使用される。ＤＲＡＭ２８に一時記憶された画像データは圧縮され、最終的には内蔵画像メモリ２９に記録される。表示装置２５は前記液晶表示器１３とその駆動回路とを含み、撮影待機モード等においては、ＣＣＤ２１によって撮像された被写体画像をスルー画像として表示し、再生モードでは、内蔵画像メモリ２９に記録されている画像を表示する。キー入力部２６は、前記シャッター釦１４や、図示しない電源キー、モード選択キー等の複数の操作キーを含み、使用者によるキー操作に応じたキー入力信号をＣＰＵ２２に出力する。
【００４８】
入出力インターフェイス３０には前記接続コネクタ（カメラ側コネクタ）１５が接続されており、入出力インターフェイス３０は、ＣＰＵ２２の制御に基づき前記クレードル１を介して接続されたＰＣとの間でＵＳＢインターフェイス又はＲＳ−２３２Ｃインターフェイス等によるデータの送受信を行う。ＲＯＭ２７には、ＣＰＵ２２にデジタルカメラ１０の各部を制御させるための制御プログラム、及びＣＰＵ２２の動作に必要な各種データが記憶されている。そしてＣＰＵ２２は上記制御プログラムに従い動作することにより、本発明の確認手段、設定手段として機能する。
【００４９】
図３は、図１に示したようにクレードル１が通信ケーブル５０によってＰＣと接続されている状態で、電源が投入された状態でデジタルカメラ１０がクレードル１に装着されたときの動作を示すフローチャートである。
【００５０】
デジタルカメラ１０においてはクレードル１に装着されると、ＣＰＵ２２が、カメラ側コネクタ１５の各端子がクレードル側コネクタ５の前述した端子列５ａ，５ｂのいずれの側と接続されたのかを電気的に検出することにより、デジタルカメラ１０がクレードル１に対し、前述した第１又は第２のいずれの向きで装着されたのかを確認する（ステップＳＡ１）。
【００５１】
ここで、デジタルカメラ１０の向きが、液晶表示器１３がクレードル１の正面側に位置する向き、すなわち図１に示した第１の向きであったときには（ステップＳＡ２でＹＥＳ）、ＣＰＵ２２は動作モードを記録画像転送モードに設定し、そのモードでの動作を開始する（ステップＳＡ３）。そして、内蔵画像メモリ２９に記録されている画像データ（画像ファィル）を所定の順序で読み出し、それをＰＣへ転送する（ステップＳＡ４）。これを、全ての画像データの転送が終了するまで続け、それが終了した時点で（ステップＳＡ５でＹＥＳ）、記録画像転送モードでの動作を終了する。
【００５２】
一方、ステップＳＡ１で確認したデジタルカメラ１０の向きが、撮影レンズ１２がクレードル１の正面側に位置する向き、すなわち図１とは逆の第２の向きであったときには（ステップＳＡ２でＮＯ）、ＣＰＵ２２は動作モードを所謂ＰＣカメラとして機能するためのＰＣカメラモードに設定し、そのモードでの動作を開始する（ステップＳＡ６）。そして、ＣＣＤ２１により被写体像を撮像するとともに（ステップＳＡ７）、撮像した画像データを逐次ＰＣへ転送する（ステップＳＡ８）。これを、ユーザーによるデジタルカメラ１０側やＰＣ側における所定のキー操作によるモード終了操作があったり、あるいはＰＣ側から送られる終了指示信号を受信するまで続け、モード終了操作等があった時点で（ステップＳＡ９でＹＥＳ）、ＰＣカメラモードでの動作を終了する。
【００５３】
したがって、ユーザーは、デジタルカメラ１０をクレードル１に装着してＰＣとの間のデータ通信機能を利用するとき、デジタルカメラ１０の向きを選択的に変えるだけで、デジタルカメラ１０に所望とする動作モード（記録画像転送モードまたはＰＣカメラモード）を設定することができる。よって、データ通信機能を利用するとき、そのモード設定を極めて容易に行うことができる。
【００５４】
また、本実施の形態においては、クレードル１が保持部３によってデジタルカメラ１０を垂直よりも背面側へ若干寝かせた状態で保持する構造であるとともに、デジタルカメラ１０の向きと動作モードとの関係が、液晶表示器１３をクレードル１の正面側つまりユーザー側へ向けたときには記録画像転送モードとなる一方、撮影レンズ１２をクレードル１の正面側へ向けたときにはＰＣカメラモードとなるように設定されている。このため、記録画像転送モードでは液晶表示器１３が若干上向きとなるため動作中における液晶表示器１３の表示画面が見やすく、またＰＣカメラモードでは、撮影レンズ１２の光軸が上向きとなるため、撮影に適した状態を容易に確保することができるという利点がある。
【００５５】
なお、本実施の形態では、デジタルカメラ１０が、電源が投入された状態でクレードル１へ装着されたとき、前述したように自動的に記録画像転送モード又はＰＣカメラモードで動作するものとしたが、クレードル１へ装着されたとき、カメラ側コネクタ１５がクレードル側コネクタ５に接続されることにより自動的に電源がオン状態となる構成としてもよい。
【００５６】
また、本実施の形態では、クレードル１に装着した時の向きに応じて、デジタルカメラ１０のデータ通信機能に関する動作モードが選択的に設定されるようにしたが、本発明において選択的に設定される動作モードはデータ通信機能に関する以外の動作モードであってもよい。例えば充電モードと画像データの（ＰＣ等への）移動、充電モードとデジタルカメラの動作内容等をユーザーの好みに応じて設定するための設定（カスタマイズ）、セルフタイマー撮影と画像データの移動、記録画像の表示と画像データの移動、音楽データ再生又は音楽データの（ＰＣ等への）転送と画像データの転送又は記録画像の表示などのように、デジタルカメラのいかなる種類の動作に関するものであっても構わない。
【００５７】
（第２の実施の形態）
図４は、第２の実施の形態に係る接続システムを示す外観斜視図である。この接続システムも、クレードル１０１と、クレードル１０１に着脱自在であるとともに、クレードル１０１を介してＰＣとの間のデータ通信が可能なデジタルカメラ１０とから構成されている。
【００５８】
クレードル１０１は、上面に円形の開口部１０２ａが設けられた本体１０２の内部に、円板状の回転台１０６が回転自在に取り付けられた構造を有している。前記回転台１０６は本発明の可動保持部であって、その上面には、本体１０２の開口部１０２ａにて起立するとともに、上方より装着されたデジタルカメラ１０を保持する保持部１０３が設けられている。回転台１０６は、本体１０２に対して水平方向に１８０度以上の回転を許容されており、その外周部には押圧突起１０６ａが設けられている。
【００５９】
前記本体１０２の背面側には第１の接続コネクタ１０４が設けられ、前記回転台１０６には、前記保持部１０３の内側に位置する上面部分に突出する第２の接続コネクタ１０５が設けられており、第１及び第２の接続コネクタ１０４，１０５は、本体１０２の内部において互いに対応する端子同士を結線されている。一方、図５に示したように第２の接続コネクタ１０５には、データ通信用の端子とは別に前記回転台１０６の回転位置の検出に使用される検出用端子１０５ａが設けられており、その検出用端子１０５ａと所定のデータ通信用端子１０５ｂとの間を短絡、開放する切替スイッチ１０７が第１の接続コネクタ１０４に一体的に設けられている。なお、切替スイッチ１０７は、回転台１０６が所定の位置まで回転した状態（図４に示した状態）で押圧突起１０６ａに押圧されることによってオフ状態からオン状態に動作するマイクロスイッチである。
【００６０】
なお、デジタルカメラ１０の外観構造及び電気的構成については、第１の実施の形態において説明したものと同様である。
【００６１】
そして、本実施の形態において、デジタルカメラ１０は、電源が投入された状態で、通信ケーブル５０によりＰＣと接続されているクレードル１０１に装着されると以下のように動作する。
【００６２】
まず、デジタルカメラ１０は、接続コネクタ１５が接続されたクレードル１０１の第２の接続コネクタ１０５を介して前述した切替スイッチ１０７のオンオフ状態を電気的に検出することにより、デジタルカメラ１０におけるクレードル１０１の本体１０２に対する向きを確認する。そして、切替スイッチ１０７がオン状態であって、液晶表示器１３がクレードル１０１の正面側に位置する向き、すなわち図４に示した向きであったときには、図３のステップＳＡ３〜ＳＡ５と同様の動作により、自動的に記録画像転送モードに移行し、内蔵画像メモリ２９に記録されている全ての画像データ（画像ファィル）をＰＣへ転送する。また、切替スイッチ１０７がオフ状態であって、デジタルカメラ１０の向きが、例えば液晶表示器１３がクレードル１０１の背面側に位置する向きであったときには、図３のステップＳＡ６〜ＳＡ９と同様の動作により、自動的にＰＣカメラモードに移行するとともに、撮像した画像データをＰＣへ逐次転送し、それをモード終了操作等があるまで続ける。
【００６３】
したがって、ユーザーは、デジタルカメラ１０をクレードル１０１に装着してＰＣとの間のデータ通信機能を利用するとき、クレードル１０１の回転台１０６を回転させることによってデジタルカメラ１０の本体１０２に対する向きを選択的に変えるだけで、デジタルカメラ１０に所望とする動作モード（記録画像転送モードまたはＰＣカメラモード）を設定することができる。よって、データ通信機能を利用するとき、そのモード設定を極めて容易に行うことができる。また、第１の実施の形態のシステムと比較すると、デジタルカメラ１０をクレードル１０１に装着したままで動作モードの切り替えが可能である、という利点がある。
【００６４】
さらに、例えばクレードル１０１の本体１０２側に、回転台１０６の押圧突起１０６ａの複数ヶ所の回転位置を検出するスイッチを設け、使用時には、クレードル１０１の本体１０２に対する複数の向きをデジタルカメラ１０に確認させる構成とすれば、デジタルカメラ１０が、データ通信機能に関する動作モードを３つ以上有する場合に、それら３つ以上の動作モードを、上記本体１０２に対する向きに応じて選択的に設定することも可能となる。
【００６５】
なお、本実施の形態においても、デジタルカメラ１０が、電源が投入された状態でクレードル１０１へ装着されたとき、自動的に記録画像転送モード又はＰＣカメラモードで動作するものとしたが、クレードル１０１へ装着されたとき、カメラ側コネクタ１５がクレードル側コネクタ１０５に接続されることにより自動的に電源がオン状態となる構成としてもよい。
【００６６】
また、本実施の形態では、デジタルカメラ１０の、回転台１０６の回転位置に応じた向きに応じて、デジタルカメラ１０のデータ通信機能に関する動作モードが選択的に設定されるようにしたが、第１の実施の形態において説明したように、選択的に設定される動作モードはデータ通信機能に関する以外の動作モードであってもよい。
【００６７】
（第３の実施の形態）
図６は、第３の実施の形態に係る接続システムを示す外観斜視図である。この接続システムも、クレードル２０１と、クレードル２０１に着脱自在であるとともに、クレードル２０１を介してＰＣとの間のデータ通信が可能なデジタルカメラ２１０とから構成されている。
【００６８】
クレードル２０１は、第１の実施の形態で説明したものとほぼ同様の構成を有するものであり、前者との構成上の違いは、前記保持部３の内側に設けられている第２の接続コネクタ２０５が、データ通信用の端子群を１組だけ備えている点のみである。
【００６９】
また、本実施の形態におけるデジタルカメラ２１０は、第１及び第２の実施の形態で説明したものとは異なり、本体１１の一方の側部に、両側部の中心を通る軸Ｏを中心に１８０度以上（例えば２７０度）の角度範囲で正面側と背面側とに回動自在な可動部２１１が設けられ、その可動部２１１に前記撮影レンズ１２やＣＣＤ２１が設けられている。また、本体１１の底面に設けられている接続コネクタ２１５は、クレードル２０１の第２の接続コネクタ２０５に対応しており、本体１１の背面側（液晶表示器１３が位置する側）が、図６に示したようにクレードル２０１の正面側を向いた状態で上記第２の接続コネクタ２０５に接続可能となっている。なお、以下の説明においては、上記第２の接続コネクタ２０５をクレードル側コネクタ、上記接続コネクタ２１５をカメラ側コネクタという。
【００７０】
さらに、デジタルカメラ２１０は、図７に示したように撮影方向検出部２１２を有している。撮影方向検出部２１２は、撮影レンズ１２の向きを検出するためのものであって、前記可動部２１１が本体１１の上面より背面側（液晶表示器１３が位置する側）へ回動しているときオン状態となる検出スイッチ（図示せず）、及びその動作状態に基づく撮影方向を示す検出信号をＣＰＵ２２へ送る回路とから構成されている。なお、これ以外の構成については、第１及び第２の実施の形態で説明したものと同様である。
【００７１】
そして、本実施の形態において、デジタルカメラ２１０は、電源が投入された状態で、通信ケーブル５０によりＰＣと接続されているクレードル２０１に装着されると以下のように動作する。図８は、そのときの動作を示すフローチャートである。
【００７２】
デジタルカメラ２１０は、カメラ側コネクタ２１５がクレードル側コネクタ２０５と接続されると、まず撮影方向検出部２１２が出力する検出信号に基づき、撮影レンズ１２の向き（撮影方向）が正面側であるか否かを確認する（ステップＳＢ１）。そして、前記撮影方向検出部２１２の検出スイッチがオフ状態であって、撮影レンズ１２が本体１１の正面側、つまりクレードル２０１の背面側であったときには（ステップＳＢ２でＹＥＳ）、ＣＰＵ２２は動作モードを記録画像転送モードに設定し、そのモードでの動作を開始する（ステップＳＢ３）。そして、内蔵画像メモリ２９に記録されている画像データ（画像ファィル）を所定の順序で読み出し、それをＰＣへ転送する（ステップＳＢ４）。これを、全ての画像データの転送が終了するまで続け、それが終了した時点で（ステップＳＢ５でＹＥＳ）、記録画像転送モードでの動作を終了する。
【００７３】
一方、ステップＳＢ１で確認した撮影レンズ１２の向きが本体１１の背面側でって、例えば図６に示したようにクレードル２０１の正面画側であったときには（ステップＳＢ２でＮＯ）、ＣＰＵ２２は動作モードを所謂ＰＣカメラとして機能するためのＰＣカメラモードに設定し、そのモードでの動作を開始する（ステップＳＢ６）。そして、ＣＣＤ２１により被写体像を撮像し（ステップＳＢ７）、撮像した画像をいったん上下に反転（１８０度回転）した後（ステップＳＢ８）、その画像データを逐次ＰＣへ転送する（ステップＳＢ９）。これを、ユーザーによるデジタルカメラ２１０側やＰＣ側における所定のキー操作によるモード終了操作があったり、あるいはＰＣ側から送られる終了指示信号を受信するまで続け、モード終了操作等があった時点で（ステップＳＢ１０でＹＥＳ）、ＰＣカメラモードでの動作を終了する。
【００７４】
したがって、ユーザーは、デジタルカメラ２１０をクレードル２０１に装着してＰＣとの間のデータ通信機能を利用するとき、撮影レンズ１２が設けられている可動部２１１（撮影レンズ１２）の向きを選択的に変えるだけで、デジタルカメラ２１０に所望とする動作モード（記録画像転送モードまたはＰＣカメラモード）を設定することができる。よって、データ通信機能を利用するとき、そのモード設定を極めて容易に行うことができる。また、第２の実施の形態と同様に、デジタルカメラ２１０をクレードル２０１に装着したままで動作モードの切り替えが可能である、という利点がある。
【００７５】
さらに、デジタルカメラ２１０に、可動部２１１（撮影レンズ１２）の複数の向きを（回転位置）を検出するスイッチを設け、使用時には、クレードル２０１に対する可動部２１１の複数の向きを確認させる構成とすれば、デジタルカメラ２１０が、データ通信機能に関する動作モードを３つ以上有する場合に、それら３つ以上の動作モードを、可動部２１１の向きに応じて選択的に設定することも可能となる。
【００７６】
なお、本実施の形態においても、デジタルカメラ２１０が、電源が投入された状態でクレードル２０１へ装着されたとき、自動的に記録画像転送モード又はＰＣカメラモードで動作するものとしたが、クレードル２０１へ装着されたとき、カメラ側コネクタ２１５がクレードル側コネクタ２０５に接続されることにより自動的に電源がオン状態となる構成としてもよい。
【００７７】
また、本実施の形態では、デジタルカメラ２１０の可動部２１１の向きに応じて、デジタルカメラ２１０のデータ通信機能に関する動作モードが選択的に設定されるようにしたが、第１及び第２の実施の形態において説明したように、選択的に設定される動作モードはデータ通信機能に関する以外の動作モードであってもよい。
【００７８】
（第４の実施の形態）
本実施の形態は、前述した第１の実施の形態で説明したクレードル１を介してデジタルカメラ１０との間でデータ通信を行い、本発明のデータ処理装置として機能するパーソナルコンピュータ（ＰＣ）に関するものである。
【００７９】
図９は、本実施の形態のＰＣ３０１の概略構成を示すブロック図である。パーソナルコンピュータ３０１は、主としてＣＰＵ３０２、ＲＡＭ３０３、記憶装置３０４、入出力インターフェイス３０５、本体に接続されたキーボードやマウス等の入力装置３０６、ＬＣＤやＣＲＴである表示装置３０７、電話回線を介してインターネットに接続するためのモデム３０８を有している。
【００８０】
入出力インターフェイス３０５には、図１に示した前記通信ケーブル５０の図示しない他端が接続される接続コネクタ（ＰＣ側コネクタ）３０９が接続されており、入出力インターフェイス３０５は、ＣＰＵ３０２の制御に基づき前記クレードル１を介して接続されたデジタルカメラとの間でＵＳＢインターフェイス又はＲＳ−２３２Ｃインターフェイス等によるデータの送受信を行う。記憶装置３０４は記憶容量の比較的大きなハードディスク等である。
【００８１】
また、記憶装置３０４には、任意のＯＳ（オペレーティングシステム）と、複数種のアプリケーションプログラムが格納されており、本実施の形態では、前記クレードル１に付属して提供されたクレードル連携プログラム、画像データ取り込み用プログラムと、ＰＣ３０１に、デジタルカメラ１０をＰＣカメラ（又はＷｅｂカメラ）として使用して、デジタルカメラ１０が撮影した画像をインターネット上の所定のサイト、例えばユーザーのホームページに逐次アップロードするための画像アップロード用プログラムが格納されている。そして、本実施の形態では、ＣＰＵ３０２が前記クレードル連携プログラムに従い動作することにより、本発明の確認手段、設定手段として機能する。
【００８２】
次に、前記ＰＣ３０１にクレードル１が接続されるとともに、その状態でクレードル１にデジタルカメラ１０が装着されたときの、ＰＣ３０１の本発明に係る動作を図１０のフローチャートに従って説明する。なお、ここでは、ＰＣ３０１が、前述したクレードル連携プログラムが常駐した状態で起動されており、かつクレードル連携プログラムには、後述するように起動させるプログラムが事前に設定されているものとする。
【００８３】
ＰＣ３０１は、デジタルカメラ１０がクレードル１に装着されると、ＣＰＵ３０２は、カメラ側コネクタ１５の各端子がクレードル側コネクタ５の前述した端子列５ａ，５ｂのいずれの側と接続されたのかを電気的に検出することにより、デジタルカメラ１０がクレードル１に対し、前述した前述した第１の向き（液晶表示器１３がクレードル１の正面側に位置する図１の向き）と、第２の向き（撮影レンズ１２がクレードル１の正面側に位置する向き）のいずれの向きで装着されたのかを確認する（ステップＳＣ１）。
【００８４】
ここで、デジタルカメラ１０の向きが、第１の向きであったときには（ステップＡＣ２でＹＥＳ）、ＣＰＵ３０２は画像データ取り込み用プログラムを起動するとともに、デジタルカメラ１０から転送される画像データを記憶装置３０４の所定場所に記憶する動作を開始する（ステップＡＣ３）。以後、転送された画像データを順次記憶する動作を行い（ステップＡＣ４）、デジタルカメラ１０から、全ての画像データの転送が終了した旨の信号を受信した時点で（ステップＡＣ５でＹＥＳ）、画像データ取り込み用プログラムに従った動作を終了する。
【００８５】
一方、ステップＡＣ１で確認したデジタルカメラ１０の向きが、撮影レンズ１２が第２の向きであったときには（ステップＡＣ２でＮＯ）、ＣＰＵ３０２は画像アップロード用プログラムを起動する（ステップＳＣ６）。そして、デジタルカメラ１０から転送されてくる画像データを逐次受信しながら、転送されてくる画像データをアップロードするための処理、例えばユーザーの操作に応じたモデム３０８を介してのインターネットへの接続動作や、接続後における実際の画像データのアップロードを行う（ステップＳＣ７）。そして、ユーザーによる動作終了操作があった時点で（ステップＡＣ８でＹＥＳ）、画像アップロード用プログラムを終了する。
【００８６】
したがって、本実施の形態によれば、ユーザーはクレードル１に装着するデジタルカメラ１０の向きを選択的に変えるだけで、ＰＣ３０１に、画像データの取り込み動作と、画像データのアップロード準備とを自動的に行わせることができる。つまり、ＰＣ３０１においてデジタルカメラ１０との間でのデータ通信機能を利用するとき、その作業を容易に行うことができる。
【００８７】
なお、本実施の形態では、ＰＣ３０１に、画像データの取り込み動作と、画像データのアップロード準備とを選択的に行わせることができるようにした場合について説明したが、前述したアプリケーションプログラムとは別のプログラムを記憶装置３０４に格納しておき、ＰＣ３０１に、上記とは異なるデータ通信機能に関する動作を行わせるようにしてもよい。例えば記憶装置３０４の所定の場所に記憶されている画像データ等のデータを、ＰＣ３０１からデジタルカメラ１０へ転送し、デジタルカメラ１０の内蔵画像メモリ２９等に記録させる動作を行わせるようにしてもよい。また、本実施の形態では、ＰＣ３０１に第１の実施の形態で説明したクレードル１を使用する場合について説明したが、当然のように、第２及び第３の実施の形態で説明したクレードル１０１，２０１等の他のクレードルを使用するものとしてもよい。
【００８８】
また、本実施の形態においては、デジタルカメラ１０が、クレードル１に装着されたときの向きを確認し、自ら動作モードを記録画像転送モード又はＰＣカメラモードに設定する機能を有するものであって、ＰＣ３０１が、クレードル１に装着されたデジタルカメラ１０の向きに応じて、起動するアプリケーションプログラムを自動的に設定（選択）するものを説明したが、記憶装置３０４に本実施の形態とは異なるクレードル連携プログラムを格納しておき、ＰＣ３０１に以下のような動作を行わせるようにしてもよい。
【００８９】
例えば、前述した動作において、ステップＳＣ３，ＳＣ６でデジタルカメラ１０の向きに応じたプログラムを起動する前又は後に、デジタルカメラ１０にクレードル１を介して、ステップＳＣ１で確認した向きが第１の向きであったときには、動作モードを記録画像転送モードに設定させる要求信号を送信し、かつ第２の向きであったときには、動作モードをＰＣカメラモードに設定させる要求信号を送信することにより、デジタルカメラ１０に向きに応じた動作モードを設定させるようにしてもよい。つまりＣＰＵ３０２と入出力インターフェイス３０を本発明の動作要求手段として機能させるようにしてもよい。
【００９０】
その場合には、デジタルカメラ１０が有するＲＯＭ２７等に、上記の要求信号に応じて動作モードを設定する処理をＣＰＵ２２に行わせるためのプログラムを別途記憶させておくことにより、本実施の形態と同様の効果を得ることができる。
【００９１】
（第５の実施の形態）
図１１は、第５の実施の形態に係る接続システムを示す外観斜視図である。この接続システムも、クレードル４０１と着脱自在であるとともに、クレードル４０１を介してＰＣとの間のデータ通信が可能なデジタルカメラ４１０とから構成されている。
【００９２】
本実施の形態のクレードル４０１は、第１の実施の形態で説明したものと同様、本体４０２の上部には、上方より装着されたデジタルカメラ４１０を垂直よりも背面側へ若干寝かせた状態で保持する保持部４０３が設けられている。また、本体４０２の背面側には第１の接続コネクタ４０４が設けられており、第１の接続コネクタ４０４には、一端側が図外のＰＣに接続されている通信ケーブル５０の他端が接続されている。
【００９３】
一方、実施の形態のクレードル４０１においては、前記本体４０２には、前記保持部４００３の内側であって、その長手方向の両端側の対称位置に一対の矩形穴４０２ａ，４０２ｂが設けられている。また、本体４０２の内部には、図１２に示したように、一対の矩形穴４０２ａ，４０２ｂの中間位置にして支持軸４０６が設けられている。支持軸４０６には、その両端が一対の矩形穴４０２ａ，４０２ｂの直下に位置する長尺状の可動片４０７が回動自在に取り付けられており、可動片４０７の両端部には、各々が後述するように第１の接続コネクタ４０４に接続された二つの第２の接続コネクタ４０５ａ，４０５ｂがそれぞれ取り付けられている。
【００９４】
可動片４０７は、支持軸４０６に支持された長さ方向の中央部分において下向きにやや折曲されており、これにより図１２（ａ）に示したように、一方側の第２の接続コネクタ４０５ａを本体４０２の上面と面一となる位置まで内部に後退させると、他方側の第２の接続コネクタ４０５ｂが上方に開口する矩形穴４０２ｂから保持部４０３の内側表面に突出し、逆に、同図（ｂ）に示したように、他方側の第２の接続コネクタ４０５ｂを本体４０２の上面と面一となる位置まで内部に後退させると、一方側の第２の接続コネクタ４０５ａが、その上方に開口する矩形穴４０２ａから保持部４０３の内側表面に突出するようになっている。つまり、前記クレードル４０１においては、可動片４０７の両端に取り付けられた二つの第２の接続コネクタ４０５ａ，４０５ｂが、支持軸４０６を支点としたシーソー構造によって、一方側が上方から押されると他方側が自動的に保持部４０３の内側表面に突出する構成となっている。
【００９５】
また、図１３は、前記クレードル４０１の電気的構成の概略を示す図であり、上記二つの第２の接続コネクタ４０５ａ，４０５ｂは、それぞれが「１」〜「ｎ」番の複数の端子を有するとともに、「ｎ」番の検出用端子を除いて、データ通信用及び給電用の互いに対応する複数の端子同士を結線された状態で回路基板５０１に接続され、この回路基板５０１を介して前記第１の接続コネクタ４０４に接続されている。なお、回路基板５００には、二つの第２の接続コネクタ４０５ａ，４０５ｂのいずれかを介してデジタルカメラ４１０へ電源を供給するためのＡＣアダプタが接続されている。
【００９６】
そして、二つの第２の接続コネクタ４０５ａ，４０５ｂは、各々が有する前記検出用端子（「ｎ」番の端子）を、互いに異なる番号の他の端子（本実施の形態ではデータ通信用の端子）にそれぞれ接続されるとともに、本体４０２において各接続端子の配置順が逆順となる状態で前記可動片４０７に取り付けられている。
【００９７】
一方、本実施の形態におけるデジタルカメラ４１０は、第１及び第２の形態で説明したものと同様、本体１１の正面に撮影レンズ１２が、かつ背面に液晶表示器１３が設けられ、上面にシャッター釦１４が設けられるとともに、本体１１の底面にはメス型の接続コネクタ４１５が設けられた構造を有している。
【００９８】
但し、本実施の形態のデジタルカメラ４１０にあっては、接続コネクタ４１５が本体１１の幅方向の一方側に寄った位置、つまり左右非対称の位置に設けられており、その位置が、前記クレードル４０１設けられている一対の矩形穴４０２ａ，４０２ｂに対応した位置となっている。すなわち接続コネクタ４１５は、デジタルカメラ４１０が、その液晶表示器１３がクレードル４０１（本体４０２）の正面側に位置する第１の向き（図１１参照）でクレードル４０１に装着されたときには一方の矩形穴４０２ｂの直上に位置し、かつ撮影レンズ１２がクレードル４０１（本体４０２）の正面側に位置する第２の向き（図１２参照）でクレードル４０１に装着されたときには他方の矩形穴４０２ａの直上に位置するようになっている。
【００９９】
また、デジタルカメラ４１０の電気的構成については、前記接続コネクタ４１５に給電用の端子が含まれており、それがデジタルカメラ４１０の電源部（図示せず）に接続されていること以外は、第１及び第２の形態で説明したものと同様である。
【０１００】
したがって、本実施の形態における接続システムにおいては、デジタルカメラ４１０が前述した第１の向き（図１１参照）でクレードル４０１に装着されたときには、デジタルカメラ４１０の本体１１によってクレードル４０１の一方側の第２の接続コネクタ４０５ａがクレードル４０１の本体４０２内に押し込まれる一方、それに伴い突出した他方側の第２の接続コネクタ４０５ｂがデジタルカメラ４１０の接続コネクタ４１５と結合される。逆に、デジタルカメラ４１０が前述した第２の向き（図１２参照）でクレードル４０１に装着されたときには、デジタルカメラ４１０の本体１１によってクレードル４０１の他方側の第２の接続コネクタ４０５ｂがクレードル４０１の本体４０２内に押し込まれる一方、それに伴い突出した一方側の第２の接続コネクタ４０５ａがデジタルカメラ４１０の接続コネクタ４１５と結合されることとなる。つまりデジタルカメラ４１０は、前述した第１又は第２のいずれの向きで装着されたときであっても、その接続コネクタ４１５がクレードル４０１に設けられている二つの第２の接続コネクタ４０５ａ，４０５ｂのいずれか一方と結合されることにより、クレードル４０１と電気的に接続可能となっている。
【０１０１】
そして、本実施の形態のデジタルカメラ４１０においては、電源が投入された状態で、通信ケーブル５０によりＰＣと接続されているクレードル４０１に装着されると以下のように動作する。
【０１０２】
まず、デジタルカメラ４１０は、接続コネクタ（カメラ側コネクタ）４１５が、クレードル１０１が有する二つの第２の接続コネクタ（クレードル側コネクタ）４０５ａ，４０５ｂのどちらと結合されているのかを、前記検出用端子（「ｎ」番の端子）が何番の（データ通信用の）端子と結線されているのかを電気的に検出することによって確認する。そして、液晶表示器１３がクレードル４０１の正面側に位置する向き、すなわち図１１に示した向きであったときには、第１の実施の形態のステップＳＡ３〜ＳＡ５（図３参照）と同様の動作により、自動的に記録画像転送モードに移行し、内蔵画像メモリ２９に記録されている全ての画像データ（画像ファィル）をＰＣへ転送する。また、デジタルカメラ４１０の向きが、液晶表示器１３がクレードル４０１の背面側に位置する向きであったときには、第１の実施の形態のステップＳＡ６〜ＳＡ９（図３参照）と同様の動作により、自動的にＰＣカメラモードに移行するとともに、撮像した画像データをＰＣへ逐次転送し、それをモード終了操作等があるまで続ける。
【０１０３】
したがって、ユーザーは、デジタルカメラ４１０をクレードル４０１に装着してＰＣとの間のデータ通信機能を利用するときには、第１の実施の形態と同様、デジタルカメラ４１０の向きを選択的に変えるだけで、デジタルカメラ４１０に所望とする動作モード（記録画像転送モードまたはＰＣカメラモード）を設定することができる。よって、データ通信機能を利用するとき、そのモード設定を極めて容易に行うことができる。
【０１０４】
なお、本実施の形態のクレードル４０１においては、デジタルカメラ４１０をクレードル４０１へ装着したとき、第２の接続コネクタ４０５ａ，４０５ｂのうち、デジタルカメラ４１０の接続コネクタ４１５と対応する一方側が自動的に本体４０２から露出する結合位置に移動し、かつ他方側が自動的に本体４０２内に交代した非結合位置に移動する構成とすることにより、クレードル４０１に使い勝手の良さを確保したが、例えば第２の接続コネクタ４０５ａ，４０５ｂがそれぞれ独立して非結合位置と結合位置とに移動可能な構成とし、かつそれらを手動で非結合位置と結合位置とに操作する構成としてもしても構わない。その場合であっても、デジタルカメラ４１０をクレードル４０１に装着して所定の機能を利用する際の作業性や、クレードル４０１を介してデジタルカメラ４１０が生成したデータを利用する際の作業性を向上させることができる。
【０１０５】
なお、本実施の形態においても、デジタルカメラ４１０が、電源が投入された状態でクレードル４０１へ装着されたとき、自動的に記録画像転送モード又はＰＣカメラモードで動作するものとしたが、クレードル４０１へ装着されたとき、接続コネクタ４１５が第２の接続コネクタ４０５ａ，４０５ｂのいずれか一方に接続されることにより自動的に電源がオン状態となる構成としてもよい。
【０１０６】
また、デジタルカメラ４１０がクレードル４０１へ装着されたときの向きに応じて、デジタルカメラ４１０のデータ通信機能に関する動作モードが選択的に設定されるようにしたが、第１の実施の形態において説明したように、選択的に設定される動作モードはデータ通信機能に関する以外の動作モードであってもよい。
【０１０７】
また、本実施の形態においては、クレードル４０１に設けられている二つの第２の接続コネクタ４０５ａ，４０５ｂが、各々が有する検出用端子（「ｎ」番の端子）を、互いに異なる番号の他の端子（データ通信用の端子）にそれぞれ接続される一方、デジタルカメラ４１０がクレードル４０１へ装着されたときには、検出用端子が何番の端子と結線されているのかを電気的に検出することによって、自己の接続コネクタ４１５が二つの第２の接続コネクタ４０５ａ，４０５ｂのどちらと結合されているのか、つまり装着時の向きを確認するようにしたが、例えば以下のようにすることもできる。
【０１０８】
すなわち図１４に示したように、クレードル４０１の本体４０２の内部に、前述した可動片４０７の両端部の直下に位置して、二つの第２の接続コネクタ４０５ａ，４０５ｂのいずれか一方が本体４０２の内部に押し込まれたとき、それを検知するための二つの検出スイッチ５１１ａ，５１１ｂをそれぞれ設ける。検出スイッチ５１１ａ，５１１ｂとしては、可動片４０７の回動に伴いその一端部又は他端部によって押圧されオン状態となる常開型のマイクロスイッチとする。さらに、図１５に示したように、二つの第２の接続コネクタ４０５ａ，４０５ｂがそれぞれ有する検出用端子（「ｎ」番の端子）を、検出スイッチ５１１ａ，５１１ｂを介して前記回路基板５０１に接続し、検出スイッチ５１１ａ，５１１ｂがオン状態となった状態において、回路基板５０１から各々の検出用端子に異なる電圧を印加させるようにする。
【０１０９】
この場合には、デジタルカメラ４１０には、クレードル４０１へ装着されたときには、検出用端子に印加されている電圧の違いから、自己の接続コネクタ４１５が第２の接続コネクタ４０５ａ，４０５ｂのいずれと結合されているのかを判断させ、それに基づき装着時の向きを確認する処理を行わせればよい。
【０１１０】
また、以上の説明においては、主として本発明における携帯型の電子機器がデジタルカメラである実施の形態について説明したが、これに限らず本発明は、ＰＤＡや携帯電話端末等の他の電子機器、及びそれらの電子機器と、それが装着状態で電気的に接続される接続台（クレードル）とからなる他のシステムに採用することもできる。また、本発明におけるデータ処理装置がパーソナルコンピュータである実施の形態について説明したが、これに限らず本発明は、例えば上記電子機器が装着状態で電気的に接続される接続台と、その接続台を介して上記電子機器とデータ通信を行う他の電子機器とからシステムに採用することもできる。また前述した実施の形態と同様、デジタルカメラが本発明の電子機器である場合には、カラープリンタに本発明を適用すれば、例えばデジタルカメラを接続台に装着する向きを選択するだけで、カラープリンタに送られた画像の通常印刷と、複数の画像の一覧印刷とを選択的に行わせることが可能となる。
【図面の簡単な説明】
【０１１１】
【図１】第１の実施の形態を示す接続システムの外観斜視図である。
【図２】デジタルカメラ及びクレードルの電気的な概略構成を示すブロック図である。
【図３】デジタルカメラがクレードルに装着されたときの動作を示すフローチャートである。
【図４】第２の実施の形態を示す接続システムの外観斜視図である。
【図５】クレードルの電気回路図である。
【図６】第３の実施の形態を示す接続システムの外観斜視図である。
【図７】デジタルカメラの電気的な概略構成を示すブロック図である。
【図８】デジタルカメラがクレードルに装着されたときの動作を示すフローチャートである。
【図９】第４の実施の形態を示すパーソナルコンピュータのブロック図である。
【図１０】同パーソナルコンピュータの動作を示すフローチャートである。
【図１１】第５の実施の形態を示す接続システムの外観斜視図である。
【図１２】デジタルカメラ及びクレードルの要部の構造を示す部分断面図である。
【図１３】クレードルの電気的構成の概略を示す説明図である。
【図１４】第５の実施の形態の変形例を示す図１２に対応する部分断面図である。
【図１５】変形例におけるクレードルの電気的構成の概略を示す説明図である。
【符号の説明】
【０１１２】
１    クレードル
２    本体
３    保持部
５    第２の接続コネクタ（クレードル側コネクタ）
１０    デジタルカメラ
１１    本体
１２    撮影レンズ
１５    接続コネクタ（カメラ側コネクタ）
２７    ＲＯＭ
２９    内蔵画像メモリ
３０    入出力インターフェイス
５０    通信ケーブル
１０１    クレードル
１０２    本体
１０３    保持部
１０４    第１の接続コネクタ
１０５    第２の接続コネクタ（クレードル側コネクタ）
１０６    回転台
１０７    切替スイッチ
２０１    クレードル
２０５    第２の接続コネクタ（クレードル側コネクタ）
２１０    デジタルカメラ
２１１    可動部
２１２    撮影方向検出部
２１５    接続コネクタ（カメラ側コネクタ）
３０１    パーソナルコンピュータ
３０２    ＣＰＵ
３０４    記憶装置
４０１    クレードル
４０４    第１の接続コネクタ
４０５ａ    第２の接続コネクタ（クレードル側コネクタ）
４０５ｂ    第２の接続コネクタ（クレードル側コネクタ）
４０６    支持軸
４０７    可動片
４１０    デジタルカメラ
４１５    接続コネクタ（カメラ側コネクタ）
【図１】
2006136012.tif 000003
【図２】
2006136012.tif 000004
【図３】
2006136012.tif 000005
【図４】
2006136012.tif 000006
【図５】
2006136012.tif 000007
【図６】
2006136012.tif 000008
【図７】
2006136012.tif 000009
【図８】
2006136012.tif 000010
【図９】
2006136012.tif 000011
【図１０】
2006136012.tif 000012
【図１１】
2006136012.tif 000013
【図１２】
2006136012.tif 000014
【図１３】
2006136012.tif 000015
【図１４】
2006136012.tif 000016
【図１５】
2006136012.tif 000017